(57)【特許請求の範囲】
【請求項１】
上部側に向かって互いに近づく方向に傾斜した幅方向一対の脚柱（４）間を踏桟（５）で互いに連結してなる支持脚（２）と、この支持脚（２）の上部側が両端部に折り畳み自在に枢着された天板（３）と、前記脚柱（４）の上端部における幅方向外面に取り付けられた取付ブラケット（１７）と、この取付ブラケット（１７）に基端部が上下反転自在に枢着された手摺り棒（１６）と、を備えている作業台において、
前記脚柱（４）の上端には、前記取付ブラケット（１７）の上部側が下部側よりも前記脚柱（４）から幅方向外側へ離れるように傾斜して前記取付ブラケット（１７）を前記脚柱（４）に取り付ける取付部（４１）が設けられ、
前記取付ブラケット（１７）は、押出加工により成形された長尺型材を所定寸法に切断することによって上下対称形状に形成されたものであることを特徴とする作業台。
【請求項２】
前記取付ブラケット（１７）は、幅方向一対の各脚柱（４）に対して同一形状のものが上下反転して取り付けられていることを特徴とする請求項１に記載の作業台。
【請求項３】
前記手摺り棒（１６）は、前記天板（３）の上方に突出させた上向き反転姿勢とした際には前記手摺り棒（１６）の先端側が側面視で垂直となり、且つ下側に折り畳んで下向き反転姿勢とした際には前記手摺り棒（１６）の先端側が脚柱（４）に沿うように、前記手摺り棒（１６）の中途部で先端側を基端側に対し幅方向外側に屈曲して形成されたものであることを特徴とする請求項１又は２に記載の作業台。
【請求項４】
前記手摺り棒（１６）又は前記取付ブラケット（１７）のいずれか一方に、同取付ブラケット（１７）に対する前記手摺り棒（１６）の上向き反転姿勢と下向き反転姿勢とを位置決めする位置決めピン（２５）が備えられ、この位置決めピン（２５）は、前記手摺り棒（１６）又は取付ブラケット（１７）の他方に対して挿通する方向へ付勢された状態で軸心方向挿脱自在に備えられていることを特徴とする請求項１〜３のいずれかに記載の作業台。
【請求項５】
前記位置決めピン（２５）は、ピン本体（２８）と、該ピン本体（２８）を軸心方向移動自在に支持する取付座（２９）と、ピン本体（２８）を軸心方向に付勢する弾性部材（３０）とを一体的に組み立てたユニットとして構成され、この位置決めピンユニットを前記手摺り棒（１６）又は前記取付ブラケット（１７）に対して取り付けていることを特徴とする請求項４に記載の作業台。
【請求項６】
前記手摺り棒（１６）又は取付ブラケット（１７）のうち前記位置決めピン（２５）を備えていない他方側に対し、手摺り棒（１６）の反転操作時における同他方側と位置決めピン（２５）との干渉を防止するように該ピン（２５）を付勢力に抗して後退させる案内面（３７）が設けられていることを特徴とする請求項４又は５に記載の作業台。
【発明の詳細な説明】
【０００１】
【発明の属する技術分野】
本発明は、屋内外における各種作業現場等において使用される作業台に関するものである。
【０００２】
【従来の技術】
この種の作業台としては、上部側に向かって互いに近づく方向に傾斜した幅方向一対の脚柱を上下複数段の踏桟で連結してなる支持脚を備え、この支持脚を、平面視長方形状の天板の長手方向両端部に折り畳み自在に枢着したものが一般的であり、これは、支持脚を天板に対して下方に回動することで作業台を立ち状態に保持し、踏桟を介して天板上に上っての作業を可能とするものであった。
また、踏桟を介して天板上に上る際、又は天板上で作業等を行う際の作業者の安定性を図るため、支持脚の各脚柱の上端部にそれぞれ手摺り棒を立設したものも従来から利用されていた。
【０００３】
この従来の手摺り棒は、例えば図１２及び図１３に示すように、幅方向一対の各脚柱１０１の上端部に対して取付ブラケット１０２をボルトやリベット等１０９で取付け、この取付ブラケット１０２に対して手摺り棒１０３の下端部を連結ピン１０４を介して上下反転（回動）自在に連結したものとなっており、手摺り棒１０３を使用する際には上向き姿勢として天板１０５から上方に突出し（図１２の実線状態）、不使用時には下方に回動して各脚柱１０１の幅方向外側面に沿わせた状態で折り畳むようにしたものである（図１２の１点鎖線）。
【０００４】
ここで、前記一対の脚柱１０１は、上部側に向かって幅方向内方に傾斜した配置となっているため、そのままこの傾斜に沿った状態で手摺り棒１０３を取り付けたのでは、手摺り棒１０３を折り畳んだときには脚柱１０１に沿うようになるものの、手摺り棒１０３を上向きに反転した際には、図１２の２点鎖線で示すように、一対の手摺り棒１０３の間隔が狭くなって、踏桟１０６を介して天板１０５上に上る作業者の通過スペースＳを充分に確保できなくなるという問題が生じる。
【０００５】
このようなことから、従来では、脚柱１０１の幅方向外側面に対して、取付ブラケット１０２を上部側が下部側よりも離れるように角度θ’をもって傾斜して取付け、さらに手摺り棒１０３の上部側をＰ点において幅方向外側に屈曲させるようにすることで、上向き反転時には各手摺り棒１０３が垂直となり、下向き反転時には脚柱１０１の側面に沿った状態で折り畳めるようにしていたのであった。
【０００６】
【発明が解決しようとする課題】
しかしながら、従来では、取付ブラケット１０２における脚柱１０１への取付部の形状を、下部側１０２Ｂよりも上部側１０２Ａを大きく側方に突出させることによって、取付ブラケット１０２の上部側１０２Ａが脚柱１０１から離れた状態で取り付けられるように構成しており、そのため、一対の各取付ブラケット１０２の形状がそれぞれ幅方向に勝手違いとなり、同一部品を用いることができなかった。
【０００７】
また、取付ブラケット１０２は、上記のように上部側１０２Ａが下部側１０２Ｂより突出する上下非対称の形状であることから構造が複雑となり、鋼板等のプレス加工によって製作しなければならないため大量生産には不向きであった。
一方、従来の作業台には、手摺り棒１０３を上向き反転した姿勢と下向き反転した姿勢とに位置決め可能な位置決め手段が設けられており、これは、図１３に示すように、取付ブラケット１０２に対して手摺り棒１０３を長孔１０６を介して上下方向に移動自在に連結するとともに、手摺り棒１０３を連結ピン１０４側へ移動するように引っ張りバネにより付勢し、取付ブラケット１０２の上下端に切欠凹部１０７を設けるとともに、この切欠凹部１０７に嵌合する突起１０８を手摺り棒１０３の側面に形成したものとなっていた。
【０００８】
したがって、上下いずれかの切欠凹部１０７に突起１０８を嵌合させることにより手摺り棒１０３を各姿勢に位置決めし、手摺り棒１０３を上方又は下方に移動することにより突起１０８を切欠凹部１０７から離脱して反転可能とするのである。
しかし、上記位置決め手段の構造では、比較的重量のある手摺り棒１０３を支えながら、さらに引張りバネに抗して上下方向に移動させなければならないため、ある程度の力を必要として作業に手間のかかるものとなっていた。また、手摺り棒１０３には長孔１０６を形成する必要があることから強度低下は避けられないものとなっていた。
【０００９】
そこで本発明は、上記の問題に鑑み、手摺り棒を取り付けるための取付ブラケットの形状を簡素化しながら幅方向各脚柱に対して同一形状のものを使用できるようにし、これによって製造コストの低減等を可能にすることを第１の目的とする。
また、本発明は、手摺り棒の姿勢変更及び位置決めを簡単且つ迅速に行えるようにすることを第２の目的とする。
【００１０】
【課題を解決するための手段】
本発明は、上記目的を達成するために以下の技術的手段を講じている。
すなわち、本発明は、上部側に向かって互いに近づく方向に傾斜した幅方向一対の脚柱間を踏桟で互いに連結してなる支持脚と、この支持脚の上部側が両端部に折り畳み自在に枢着された天板と、前記脚柱の上端部における幅方向外面に固定された取付ブラケットと、この取付ブラケットに基端部が上下反転自在に枢着された手摺り棒と、を備えている作業台において、
前記取付ブラケットを、その上部側が下部側よりも前記脚柱の上端部に対して幅方向外側に離れるような傾斜姿勢で取り付けるように、前記脚柱の上端部に、前記傾斜に沿った配置で取付ブラケットを取り付けるための取付部が設けられていることを特徴とするものである。
【００１１】
また、前記脚柱の上端には、前記取付ブラケットの上部側が下部側よりも前記脚柱から幅方向外側へ離れるように傾斜して前記取付ブラケットを前記脚柱に取り付ける取付部が設けられていることが好ましい。
また、前記取付ブラケットは、押出加工により成形された長尺型材を所定寸法に切断することによって上下対称形状に形成されたものであることが好ましい。
これによれば、脚柱の上端部に対して、取付ブラケットの傾斜に沿った配置で同取付ブラケットの取付部を設けているため、上下対称形状の取付ブラケットであっても脚柱に対して傾斜した状態で取り付けることが可能となる。
【００１２】
すなわち、従来においては、取付ブラケットをその上部側が下部側よりも側方に突出した上下非対称形状とすることによって、脚柱に対して傾斜姿勢で取付けることができるようにしていたため、幅方向一対の各脚柱に対して同一形状の取付ブラケットを取り付けることができなかったが、本発明では、上下対称形状の取付ブラケットが利用可能であることから、各脚柱に対して、同一形状の取付ブラケットを上下反転することで取り付けることができるようになる。したがって、取付ブラケットの部品点数（部品種）を少なくして製造コストを低減できるし、部品管理も容易も行えるようになる。
【００１３】
また、取付ブラケットを上下対称形状とすることが可能であることから、押出加工により成形した長尺型材を所定長さに切断することによって、同一形状の複数の取付ブラケットを簡単に製作することができ、また、このような製造方法を採用することによって取付ブラケットの大量生産が可能となるのである。
また、前記手摺り棒は、前記天板の上方に突出させた上向き反転姿勢とした際には前記手摺り棒の先端側が側面視で垂直となり、且つ下側に折り畳んで下向き反転姿勢とした際には前記手摺り棒の先端側が脚柱に沿うように、前記手摺り棒の中途部で先端側を基端側に対し幅方向外側に屈曲して形成されたものであることが好ましい。
【００１４】
また、本発明に係る作業台は、手摺り棒又は取付ブラケットのいずれか一方に、同取付ブラケットに対する前記手摺り棒の上向き反転姿勢と下向き反転姿勢とを位置決めする位置決めピンを備え、この位置決めピンを、前記手摺り棒又は取付ブラケットの他方に対して、挿入する方向へ付勢した状態で軸心方向挿脱自在に備えたものとなっている。
この場合、手摺り棒又は取付ブラケットの一方に設けた位置決めピンを、他方に対して挿入することにより手摺り棒の姿勢が位置決め可能であり、この位置決めピンを付勢力に抗して軸心方向に移動することで、他方側から位置決めピンを離脱して容易に位置決め解除ができるものとなっている。
【００１５】
一方、前記のような位置決めピンを、ピン本体と、該ピン本体を軸心方向移動自在に支持する取付座と、ピン本体を軸心方向に付勢する弾性部材とで構成し、これらを一体的に組み立てたユニットとすることによって、手摺り棒又は取付ブラケットに対して簡単且つ迅速に装着できるものとなる。
また、前記手摺り棒又は取付ブラケットのうち前記位置決めピンを備えていない他方側に対しては、手摺り棒の反転操作時における同他方側と位置決めピンとの干渉を防止するように、該ピンを付勢力に抗して後退させる案内面を設けることが好ましい。
【００１６】
このように構成することにより、手摺り棒又は取付ブラケットの他方側から位置決めピンを離脱したあとに手摺り棒を反転操作したとき、案内面の作用で位置決めピンを後退させることにより、同他方側と位置決めピンとの干渉を避けることが可能となり、円滑な反転操作ができるようになる。また、案内面の作用を利用して自動的に位置決めピンを後退させることにより、手摺り棒を所定の上向き又は下向き姿勢としたときに、即座に位置決めピンをその付勢力によって手摺り棒又は取付ブラケットに挿入することが可能となる。
【００１７】
【発明の実施の形態】
以下、本発明の一実施形態を図面に基いて説明する。
図１に示すように、本発明に係る作業台１は、左右一対の支持脚２，２と、この支持脚２，２の上端を左右方向両端部に前後方向の軸心回りに回動自在に枢結した天板３とを備えて主構成され、一対の支持脚２，２は、天板３から下方側に回動した立設姿勢（図１の状態）と、天板３の下面側に沿わせた折り畳み姿勢（図３の状態）とに開閉自在であり、作業台１は支持脚２，２を開いた状態で正面視台形状を呈するものとなっている。
【００１８】
なお、本明細書において、左右方向とは作業台１（天板３）の長手方向（図１の左右方向）を示すものとし、前後方向とは、作業台１の幅方向（図２の左右方向）を示すものとして説明する。
図２に示すように、前記支持脚２は、アルミ合金等による押出型材等によって形成された幅方向一対の脚柱４，４を備えるとともに、両脚柱４，４を上下複数段の踏桟５によって互いに連結することで構成されている。また、各脚柱４，４は、上部側に向かって互いに近づくような傾斜状に配設され、したがって、支持脚２は全体として下側が広く、上側が狭くなるような側面視台形状を呈している。
【００１９】
前記天板３は、平面視において長方形状に形成されたものであり、図４に示すように、天板３の長手方向両端部における幅方向外側面には第１連結片７が固定され、支持脚２の幅方向外側面には第２連結片８が固定されている。そして、第１、第２連結片７，８は、ボルトやリベット等よりなる枢支軸９によって互いに連結され、これによって支持脚２が天板３に対して回動自在に取り付けられるようになっている。
第２連結片８には、両端部に位置決め孔１０，１１を有する扇形状の位置決め部材１２が一体に形成され、一方、天板３の幅方向両端部の裏面側には、図４及び図５に示すように、前後方向摺動自在に位置決めピン１３が設けられている。そして、この位置決めピン１３を取っ手１３ａを介して前後に摺動させることで、当該ピン１３をいずれかの位置決め孔１０，１１に挿脱可能であり、挿入することによって、支持脚２を立設姿勢（開脚状態）と折り畳み状態とに位置決めできるようになっている。
【００２０】
図１に示すように、各支持脚２，２の上下中途部と天板３との間には、屈曲リンクよりなるストッパー１４が傾斜状に設けられており、該ストッパー１４は、一対の支持脚２，２を開いたときの開脚限界位置を設定し、各支持脚２，２を折り畳んだときには屈曲部を介して折り畳み可能となっている。
なお、図２に示すように、前記脚柱４，４は、その下端部に入れ子状に設けた延長脚４ａ、４ａを介して伸縮自在となっており、伸縮することによって作業台１を高低調整可能としている。
【００２１】
図１及び図２に示すように、左右一方（図１の右側）の支持脚２には、前後一対（幅方向一対）の手摺り棒１６が設けられており、この手摺り棒１６は、アルミ合金等による押出型材によって角筒状又は円筒状に形成され、一対の脚柱４，４の幅方向外側面に対してそれぞれ取付ブラケット１７を介して取り付けられている。
この取付ブラケット１７は、幅方向一対のものが互いに同一形状に形成され、且つ上下方向の向きを互いに反転した状態で各脚柱４に取り付けられるようになっており、図４〜図１０に示すように、前記脚柱４，４に対して幅方向外側から嵌合する第１嵌合部１８と、前記手摺り棒１６の基端部が左右方向外側から嵌合される第２嵌合部１９とを一体に形成したものとなっており、第１嵌合部１８は、一対の対向壁１８ａ、１８ｂと、両対向壁１８ａ、１８ｂの幅方向外側端部を互いに連結する連結壁１８ｃとを有した断面コ字状を呈し、その幅方向内方側が解放した形状となっている。
【００２２】
一方、第２嵌合部１９は、一対の対向壁１９ａ、１９ｂと、両対向壁１９ａ、１９ｂの左右方向内端部を連結する連結壁１９ｃとを有した断面コ字状を呈しており、その左右方向外方側が解放した形状となっている。そして、幅方向内側に配置される一方の対向壁１９ｂは、第１嵌合部１８における連結壁１８ｃと共用されるようになっており、ここに第１嵌合部１８と第２嵌合部１９とを一部において共用することで構造の簡素化を図っている。
図６及び図７にも示すように、前記第２嵌合部１９の対向壁１９ａ、１９ｂには、前後方向に貫通する軸孔２１がその上下中央部に形成されている。一方、手摺り棒１６の基端部にも前後方向に貫通する軸孔２２が形成されており、両軸孔２１，２２に対してボルト等よりなる枢軸２３を挿通することで、第２嵌合部１９に対して手摺り棒１６が回動自在に連結され、ここに、手摺り棒１６は、天板３の上方に突出する上向き反転姿勢と、下側に折り畳んで脚柱４に沿わせた下向き反転姿勢とに姿勢変更可能となっている。
【００２３】
なお、第２嵌合部１９の連結壁１９ｃの上下中央部には、プレス加工等により外面側に凹ませた回避凹部１９ｄが形成されており、手摺り棒１６を反転した際にその基端部が連結壁１９ｃに干渉するのを防止している。
前記手摺り棒１６の長手方向中途部には、手摺り棒１６の上下の反転姿勢を位置決めする位置決めピン２５が設けられており、第２嵌合部１９の幅方向内側の対向壁１９ｂには、位置決めピン２５が挿入可能な位置決め孔２６が、前記軸孔２１を中央に挟んで上下一対形成されている。
【００２４】
前記位置決めピン２５は、図１１にも示すように、ピン本体２８と、取付座２９と、弾性部材３０とを一体的に組み立てたユニットとして構成されており、前記ピン本体２８は、断面円形状の棒材により形成され、取付座２９は長方形の板材によって形成されている。そして、取付座２９の中央にはピン本体２８を挿通可能な孔２９ａが形成されており、当該孔２９ａにピン本体２８を挿入することで該ピン本体２８が取付座２９に対して軸心方向移動自在に支持されるようになっている。
【００２５】
ピン本体２８の一端には球形に丸められた頭部２８ａが形成され、該頭部２８ａよりも軸心方向内側には、若干大径とされたバネ掛け部２８ｂが形成されており、このバネ掛け部２８ｂと取付座２９との間のピン本体２８の外周には、圧縮コイルバネよりなる前記弾性部材３０が套嵌されている。また、ピン本体２８の他端部には、取付座２９からのピン本体２８の抜けを防止するとともに、弾性部材３０に抗したピン本体２８の軸心方向の移動を操作可能とする操作リング３１が装着されている。
【００２６】
前記手摺り棒１６の外側面には、図６及び図７に示すように、位置決めピン２５を装着するための取付孔３３が上下一対形成され、この上下取付孔３３の間には、ピン本体２８を挿入可能な挿通孔３４が前後方向に貫通して形成されている。
一方、取付座２９には、その両端部に取付孔２９ｂが形成されており、ピン本体２８を挿通孔３４を介して手摺り棒１６内に挿入するとともに、各取付孔２９ｂ、３３に対してボルトやピン等３５を挿入して締結することによって、位置決めピン２５が手摺り棒１６に装着されるようになっている。
【００２７】
すなわち、前記位置決めピン２５は、ピン本体２８、取付座２９、弾性部材３０とを一体的に組み立てたユニットとして構成され、このユニットを手摺り棒１６に対して取り付けることによって位置決めピン２５の装着が迅速且つ簡単に行えるようになっている。
また、ピン本体２８の頭部２８ａは、挿通孔３４を介して手摺り棒１６の幅方向内側から突出するようになっている。
前記位置決め孔２６には、手摺り棒１６から突出したピン本体２８の頭部２８ａが挿入するようになっており、上下いずれかの位置決め孔２６にピン本体２８を挿入することによって手摺り棒１６の上向き又は下向き姿勢を位置決め可能としている。また、操作リング３１を引っ張ってピン本体２８を軸心方向に移動することで位置決め孔２６から容易に離脱可能であり、離脱することによって手摺り棒１６を即座に上下反転可能となっている。
【００２８】
なお、図７に示すように、第２嵌合部１９における幅方向外側の対向壁１９ａには、その上端部及び下端部に、前記ピン本体２８の他端側（操作リング３１側）との干渉を防止可能な切欠部３６が形成されている。
図７及び図１０に示すように、前記第２嵌合部１９における幅方向内側の対向壁１９ｂの先端部には、幅方向内方側へ傾斜した案内面３７が形成されている。そして、手摺り棒１６を回動して上向き又は下向き姿勢とする直前で、ピン本体２８の頭部２８ａが案内面３７に当接するように構成されており、当接した状態から更に手摺り棒１６を回動することで、案内面３７の傾斜によりピン本体２８が付勢力に抗して後退するようになっている。
【００２９】
これによって、前記対向壁１９ｂとピン本体２８との干渉が防止され、手摺り棒１６の円滑な回動操作が可能となっている。
また、ピン本体２８の後退状態で、手摺り棒１６を所望の上向き又は下向き姿勢へと回動すると、ピン本体２８の頭部２８ａと位置決め孔２６とが合致して弾性部材３０によりピン本体２８が突出し、自動的に位置決め孔２６に挿入するようになっている。したがって、前記案内面３７により手摺り棒１６の回動操作を介して自動的にピン本体２８を後退し、弾性部材３０により自動的に突出するように構成することで、位置決め孔２６に対するピン本体２８の挿入動作が迅速且つ簡単に行えるのである。
【００３０】
なお、本発明においては、取付ブラケット１７側に位置決めピン２５を設け、手摺り棒１６側に位置決め孔２６を設けた構成とすることも可能であり、この場合、例えば、取付ブラケット１７の上下２箇所に位置決めピン２５を設けるとともに、手摺り棒１６の中途部に位置決めピン２５が挿入される位置決め孔２６を設けるようにすればよく、また、手摺り棒１６の側面に位置決めピン２５を後退させる案内面３７を形成すればよい。
図６及び図１０に示すように、前記第１嵌合部１８における各対向壁１８ａ、１８ｂには、前記脚柱４に対する取付孔４０がそれぞれ上下一対形成されており、脚柱４の上部側には、取付ブラケット１７に対する取付孔（本発明にかかる取付部）４１が左右方向に貫通して上下一対設けられている。そして、第１嵌合部１８及び脚柱４は、それぞれの取付孔４０，４１を介してボルトやリベット等の結合具４２（図４，図５参照）により互いに連結されるようになっている。
【００３１】
この際、取付ブラケット１７は、傾斜角度θ１をもってその上部側が下部側よりも脚柱４に対して幅方向外側に離れるような傾斜姿勢で取り付けられるようになっており、これによって手摺り棒１６の基端側も脚柱４に対して同角度θ１だけ傾斜した状態となっている。一方、枢軸２３よりも手摺り棒１６の先端側は、図５に示すように、Ｐ点において角度θ２をもって幅方向外側に屈曲形成されている。
ここで角度θ１とθ２とは、その和が鉛直線Ｘに対する脚柱４の傾斜角度θ３と略一致するように設定されており、このような関係から、手摺り棒１６を上向き反転姿勢とした際には、該手摺り棒１６の先端側が側面視で垂直姿勢となり、図２のように、幅方向一対の手摺り棒１６の間隔Ｓが広く形成されるようになっている。すなわち、踏桟５を介して天板３上に上る際の作業者の通過スペースＳを充分に確保できるのである。
【００３２】
また、上記角度θ１，θ２，θ３の関係から、手摺り棒１６を下向き反転姿勢とした際には、該手摺り棒１６の先端側が各脚柱４の幅方向外側面に対して沿うようになっている。
ここで、取付ブラケット１７は、押出加工により、その上下に亘って第１，第２嵌合部１８，１９を有した断面形状に形成されるようになっており、更に、前記位置決め孔２６、切欠部３６、取付孔４０はそれぞれ上下対称位置に、前記軸孔２１及び回避凹部１９ｄは取付ブラケット１７の上下中央にそれぞれ形成されていることから、取付ブラケット１７は全体として上下対称形状に形成されたものとなっている。
【００３３】
これに対して、脚柱４側に設けた上下取付孔４１は、該脚柱４に対して角度θ１だけ幅方向外側に傾斜した基線Ｙ上に配置されており、この取付孔４１を介して前記取付ブラケット１７を取り付けることによって、当該取付ブラケット１７も脚柱４に対して傾斜角度θ１をもって取り付けられることとなっている。
すなわち、脚柱４の取付孔４１を取付ブラケット１７の傾斜に沿った配置で設けることによって、上下対称形状の取付ブラケット１７であっても所定の傾斜状態で取付可能となるのである。
【００３４】
また、取付ブラケット１７を上下対称形状とすることによって、構造の簡素化が可能であるとともに、図６及び図１０に示すように、前後各脚柱４に対して同一形状のものを上下反転して利用することができることから、取付ブラケット１７の部品点数（部品種類）を少なくして製造コストの低減が可能となり、部品管理も容易になるのである。
そして、第１、第２嵌合部１８，１９を有した断面形状の長尺型材を押出加工により形成し、これを長手方向に所望寸法に切断することにより、同一形状の複数の取付ブラケット１７を容易に形成することができ、また、このような製造方法を採用することで取付ブラケット１７の大量生産が可能となるのである。
【００３５】
なお、本発明は、上記実施形態に限ることなく適宜設計変更可能であり、例えば、前記脚柱４に形成した取付部４１としては、前記のような取付孔とするに限らず、取付ブラケット１７側が係合する突起又は切欠等に形成することが可能であり、同じく取付ブラケット１７側の取付孔４０に代えて脚柱４の取付部４１に係合する突起又は切欠等を形成するようにしてもよい。
また支持脚２や天板３、ストッパー１４等の詳細形状は上記に限定されるものではなく、適宜設計変更可能である。
【００３６】
【発明の効果】
以上詳述したように、本発明によれば、取付ブラケットを取付けるための取付部を、脚柱に対する取付ブラケットの傾斜に沿った配置で形成しているので、上下対称形状の取付ブラケットであっても所望の傾斜姿勢で脚柱に取り付けることが可能となる。したがって、取付ブラケットの構造が簡素化できるし、上下対称形状の取付ブラケットを幅方向各脚柱に対して上下反転して取り付けることができ、部品点数減による製造コストの低減や部品の管理が容易に行えるようになる。
【００３７】
また、本発明は、手摺り棒又は取付ブラケットのいずれか一方に位置決めピンを設け、この位置決めピンを手摺り棒又は取付ブラケットの他方に対して挿脱自在に設けたので、手摺り棒の位置決め及びその解除が簡単且つ迅速に行えるようになる。
【図面の簡単な説明】
【図１】  本発明の一実施形態を示す全体正面図である。
【図２】  図１の右側面図である。
【図３】  作業台折畳み状態を示す正面図である。
【図４】  図１のＡ部拡大図である。
【図５】  図２のＢ部拡大図である。
【図６】  取付ブラケットに手摺り棒を取付けた状態を示す拡大側面図である。
【図７】  同正面図である。
【図８】  図１０のＤ矢示図である。
【図９】  図１０のＥ矢示図である。
【図１０】  取付ブラケットを示す平面図である。
【図１１】  位置決めピンを示す側面図である。
【図１２】  従来例に係る作業台の上部側面図である。
【図１３】  同要部の斜視図である。
【符号の説明】
１      作業台
２      支持脚
３      天板
４      脚柱
１６      手摺り棒
１７      取付ブラケット
２５      位置決めピン
２８      ピン本体
２９      取付座
３０      弾性部材
３７      案内面
４１      取付孔（取付部）
【図１】
0004183843.tif 000002
【図２】
0004183843.tif 000003
【図３】
0004183843.tif 000004
【図４】
0004183843.tif 000005
【図５】
0004183843.tif 000006
【図６】
0004183843.tif 000007
【図７】
0004183843.tif 000008
【図８】
0004183843.tif 000009
【図９】
0004183843.tif 000010
【図１０】
0004183843.tif 000011
【図１１】
0004183843.tif 000012
【図１２】
0004183843.tif 000013
【図１３】
0004183843.tif 000014